(57)【特許請求の範囲】
【請求項１】
無線通信システムにおいて下りリンク信号を受信する方法であって、
前記方法は端末により行われてなり、
短い送信時間間隔(ｓｈｏｒｔ ｔｒａｎｓｍｉｓｓｉｏｎ ｔｉｍｅ ｉｎｔｅｒｖａｌ;ｓＴＴＩ)基盤の下りリンク（ｄｏｗｎｌｉｎｋ：ダウンリンク）動作に関連する動的送信−ダイバーシティ(Ｔｘ−Ｄ)フォールバック方式を支援することを報告するために端末能力情報を送信する段階；
基地局から上位階層信号により前記動的Ｔｘ−Ｄフォールバック方式設定を受信する段階；
前記動的Ｔｘ−Ｄフォールバック方式に関連する特定フィールドを含む下りリンク制御情報（ＤＣＩ）の特定フォーマットを検出する段階；及び
前記動的Ｔｘ−Ｄフォールバック方式及び前記上位階層信号により受信した前記設定を指示する前記特定フィールド値に基づいて、前記動的Ｔｘ−Ｄフォールバック方式によって下りリンクデータを受信する段階を含んでなり、
前記ＤＣＩの特定フォーマットは、送信モード(ｔｒａｎｓｍｉｓｓｉｏｎ ｍｏｄｅ，ＴＭ)−特定のＤＣＩであり、
前記ＤＣＩの前記特定フィールド値は、前記動的Ｔｘ−Ｄフォールバック方式設定に基づいて解釈されることを特徴とする、方法。
【請求項２】
前記動的Ｔｘ−Ｄフォールバック方式設定は、前記ｓＴＴＩ基盤の下りリンク動作に関連する送信モードのグループのために共通の設定であることを特徴とする、請求項１に記載の方法。
【請求項３】
前記ＤＣＩは、複数のＴＴＩｓにおける下りリンクデータチャネルにおける前記下りリンクデータをスケジューリングし、
前記複数のＴＴＩにおける下りリンクデータチャネルのためのＨＡＲＱ(Ｈｙｂｒｉｄ Ａｕｔｏｍａｔｉｃ Ｒｅｐｅａｔ Ｒｅｑｕｅｓｔ)−ＡＣＫ(ａｃｋｎｏｗｌｅｄｇｍｅｎｔ)応答は前記複数のＴＴＩｓにおける下りリンクデータチャネルの各々に対応するタイミングに個々に送信されることを特徴とする、請求項１に記載の方法。
【請求項４】
前記ＨＡＲＱ−ＡＣＫ応答は前記ＤＣＩの最低ＣＣＥ(Ｃｏｎｔｒｏｌ Ｃｈａｎｎｅｌ Ｅｌｅｍｅｎｔ)インデックスにより決定されたリソース又はＡＲＩ(ＡＣＫ／ＮＡＣＫ ｒｅｓｏｕｒｃｅ ｉｎｄｉｃａｔｏｒ)フィールドの状態に連結されたリソースから所定のオフセットだけ離れたリソースで送信されることを特徴とする、請求項３に記載の方法。
【請求項５】
前記動的Ｔｘ−Ｄフォールバック方式設定は、２−アンテナポートを支援する第１設定又は４−アンテナポートを支援する第２設定であることを特徴とする、請求項１に記載の方法。
【請求項６】
請求項１〜５の何れか一項に記載の方法を実行するための、プログラム・コードが記録されたプロセッサ読み取り可能な媒体。
【請求項７】
無線通信システムにおいて下りリンク信号を受信する端末であって、
前記端末は、
受信機及び送信機;及び
前記受信機及び送信機を制御するプロセッサを備え、
前記プロセッサは、
短い送信時間間隔(ｓｈｏｒｔ ｔｒａｎｓｍｉｓｓｉｏｎ ｔｉｍｅ ｉｎｔｅｒｖａｌ;ｓＴＴＩ)基盤の下りリンク動作に関連する動的送信−ダイバーシティ(Ｔｘ−Ｄ)フォールバック方式を支援することを報告するために端末能力情報を送信し；
基地局から上位階層信号により前記動的Ｔｘ−Ｄフォールバック方式設定を受信し；
前記動的Ｔｘ−Ｄフォールバック方式に関連する特定フィールドを含む下りリンク制御情報（ＤＣＩ）の特定フォーマットを検出し；及び
前記Ｔｘ−Ｄフォールバック方式及び前記上位階層信号により受信した前記設定を指示する前記フィールド値に基づいて、前記動的Ｔｘ−Ｄフォールバック方式によって下りリンクデータを受信することを特徴とし、
前記ＤＣＩの特定フォーマットは、送信モード(ｔｒａｎｓｍｉｓｓｉｏｎ ｍｏｄｅ，ＴＭ)−特定のＤＣＩであり、
前記ＤＣＩの前記特定フィールド値は、前記動的Ｔｘ−Ｄフォールバック方式設定に基づいて解釈されることを特徴とする、端末。
【請求項８】
前記動的Ｔｘ−Ｄフォールバック方式設定は、前記ｓＴＴＩ基盤の下りリンク動作に関連する送信モードのグループのために共通の設定であることを特徴とする、請求項７に記載の端末。
【請求項９】
前記動的Ｔｘ−Ｄフォールバック方式設定は、２−アンテナポートを支援する第１設定又は４−アンテナポートを支援する第２設定であることを特徴とする、請求項７に記載の端末。
【発明の詳細な説明】
【技術分野】
【０００１】
本発明は無線通信システムに関し、より具体的には、複数の送信時間間隔、複数のプロセシング時間又は複数のニューマロロジーなどを支援する下りリンク信号受信のための方法及びそのための装置に関する。
【背景技術】
【０００２】
パケットデータの遅延(ｌａｔｅｎｃｙ)は重要な性能メートル(ｍｅｔｒｉｃ)の１つであり、これを減らして、より早いインターネットアクセスを最終ユーザ(ｅｎｄ ｕｓｅｒ)に提供することは、ＬＥＴのみならず、次世代移動通信システム、いわゆる新ラット(ｎｅｗ ＲＡＴ)の設計においても重要な課題の１つといえる。
【０００３】
本発明は、かかる遅延の減少を支援する無線通信システムにおける下りリンク信号受信又は送信方案に関する。
【発明の概要】
【発明が解決しようとする課題】
【０００４】
本発明は、搬送波併合システムにおける複数の送信時間間隔、複数のプロセシング時間又は複数のニューマロロジーなどを有する端末の下りリンク受信に関する。
【０００５】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００６】
本発明の一実施例による無線通信システムにおいて、下りリンク信号を受信する方法であって、該方法は端末により行われ、短い送信時間間隔(ｓｈｏｒｔ ｔｒａｎｓｍｉｓｓｉｏｎ ｔｉｍｅ ｉｎｔｅｒｖａｌ;ｓＴＴＩ)基盤の下りリンク動作に関連する所定の送信方式による動的変更設定を基地局から受信する段階；動的変更設定が受信されると、動的変更に関連するフィールドを含む下りリンク制御情報フォーマットを検出する段階；及びフィールド値が所定の送信方式を指示すると、所定の送信方式によって下りリンクデータチャネル上で信号を受信する段階を含む。
【０００７】
さらに又はその代わりに、動的変更設定はＴＴＩ長さごとに設定される。
【０００８】
さらに又はその代わりに、動的変更設定はｓＴＴＩ基盤の下りリンク動作に関連する送信モードに関係なく設定される。
【０００９】
さらに又はその代わりに、所定の送信方式は送信ダイバーシティ(ｔｒａｎｓｍｉｔ ｄｉｖｅｒｓｉｔｙ)である。
【００１０】
さらに又はその代わりに、前記方法は基地局に所定の送信方式による動的変更を支援するかに関する端末能力を報告する段階を含む。
【００１１】
さらに又はその代わりに、端末能力報告はＴＴＩ長さごとに定義される。
【００１２】
さらに又はその代わりに、下りリンク制御情報フォーマットは複数のＴＴＩにおける下りリンクデータチャネルをスケジューリングし、複数のＴＴＩにおける下りリンクデータチャネルのためのＨＡＲＱ(Ｈｙｂｒｉｄ Ａｕｔｏｍａｔｉｃ Ｒｅｐｅａｔ Ｒｅｑｕｅｓｔ)−ＡＣＫ(ａｃｋｎｏｗｌｅｄｇｍｅｎｔ)応答は複数のＴＴＩにおける下りリンクデータチャネルの各々に対応するタイミングに個々に送信される。
【００１３】
さらに又はその代わりに、下りリンク制御情報フォーマットは複数のＴＴＩにおける下りリンクデータチャネルをスケジューリングし、複数のＴＴＩにおける下りリンクデータチャネルのためのＨＡＲＱ(Ｈｙｂｒｉｄ Ａｕｔｏｍａｔｉｃ Ｒｅｐｅａｔ Ｒｅｑｕｅｓｔ)−ＡＣＫ(ａｃｋｎｏｗｌｅｄｇｍｅｎｔ)応答はバンドリング又は集成されて送信される。
【００１４】
さらに又はその代わりに、ＨＡＲＱ−ＡＣＫ応答は下りリンク制御情報フォーマットの最低ＣＣＥ(Ｃｏｎｔｒｏｌ Ｃｈａｎｎｅｌ Ｅｌｅｍｅｎｔ)インデックスにより決定されたリソース又はＡＲＩ(ＡＣＫ／ＮＡＣＫ ｒｅｓｏｕｒｃｅ ｉｎｄｉｃａｔｏｒ)フィールドの状態に連結されたリソースから所定のオフセットだけ離れたリソースで送信される。
【００１５】
さらに又はその代わりに、下りリンク制御情報フォーマットをモニタするためのリソースブロック集合、及び下りリンク制御情報フォーマットをモニタするためのリソースブロック集合で使用される集成レベル及び／又はモニタリング候補数が設定される。
【００１６】
本発明の他の一実施例による無線通信システムにおいて、下りリンク信号を受信する端末であって、端末は受信機及び送信機;及び受信機及び送信機を制御するプロセッサを含み、該プロセッサは、短い送信時間間隔(ｓｈｏｒｔ ｔｒａｎｓｍｉｓｓｉｏｎ ｔｉｍｅ ｉｎｔｅｒｖａｌ;ｓＴＴＩ)基盤の下りリンク動作に関連する所定の送信方式による動的変更設定を基地局から受信し、動的変更設定が受信されると、動的変更に関連するフィールドを含む下りリンク制御情報フォーマットを検出し、フィールド値が所定の送信方式を指示すると、所定の送信方式によって下りリンクデータチャネル上で信号を受信する。
【００１７】
さらに又はその代わりに、動的変更設定はＴＴＩ長さごとに設定される。
【００１８】
さらに又はその代わりに、動的変更設定はｓＴＴＩ基盤の下りリンク動作に関連する送信モードに関係なく設定される。
【００１９】
さらに又はその代わりに、所定の送信方式は送信ダイバーシティ(ｔｒａｎｓｍｉｔ ｄｉｖｅｒｓｉｔｙ)である。
【００２０】
さらに又はその代わりに、プロセッサは基地局に所定の送信方式による動的変更を支援するかに関する端末能力を報告する。
【００２１】
さらに又はその代わりに、端末能力報告はＴＴＩ長さごとに定義される。
【００２２】
さらに又はその代わりに、下りリンク制御情報フォーマットは複数のＴＴＩにおける下りリンクデータチャネルをスケジューリングし、複数のＴＴＩにおける下りリンクデータチャネルのためのＨＡＲＱ(Ｈｙｂｒｉｄ Ａｕｔｏｍａｔｉｃ Ｒｅｐｅａｔ Ｒｅｑｕｅｓｔ)−ＡＣＫ(ａｃｋｎｏｗｌｅｄｇｍｅｎｔ)応答は複数のＴＴＩにおける下りリンクデータチャネルの各々に対応するタイミングに個々に送信される。
【００２３】
さらに又はその代わりに、下りリンク制御情報フォーマットは複数のＴＴＩにおける下りリンクデータチャネルをスケジューリングし、複数のＴＴＩにおける下りリンクデータチャネルのためのＨＡＲＱ(Ｈｙｂｒｉｄ Ａｕｔｏｍａｔｉｃ Ｒｅｐｅａｔ Ｒｅｑｕｅｓｔ)−ＡＣＫ(ａｃｋｎｏｗｌｅｄｇｍｅｎｔ)応答はバンドリング又は集成されて送信される。
【００２４】
さらに又はその代わりに、ＨＡＲＱ−ＡＣＫ応答は下りリンク制御情報フォーマットの最低ＣＣＥ(Ｃｏｎｔｒｏｌ Ｃｈａｎｎｅｌ Ｅｌｅｍｅｎｔ)インデックスにより決定されたリソース又はＡＲＩ(ＡＣＫ／ＮＡＣＫ ｒｅｓｏｕｒｃｅ ｉｎｄｉｃａｔｏｒ)フィールドの状態に連結されたリソースから所定のオフセットだけ離れたリソースで送信される。
【００２５】
さらに又はその代わりに、下りリンク制御情報フォーマットをモニタするためのリソースブロック集合、及び下りリンク制御情報フォーマットをモニタするためのリソースブロック集合で使用される集成レベル及び／又はモニタリング候補数が設定される。
【００２６】
上記の課題解決方法は本発明の実施例の一部に過ぎず、当該技術の分野における通常の知識を有する者であれば、本願発明の技術的特徴が反映された様々な実施例を以下に説明する本発明の詳細な説明から導出できるであろう。
【発明の効果】
【００２７】
本発明の実施例によれば、下りリンク受信を効率的に行うことができる。
【００２８】
本発明から得られる効果は以上で言及した効果に制限されず、言及していない他の効果は、以下の記載から、本発明の属する技術の分野における通常の知識を有する者に明確に理解されるであろう。
【図面の簡単な説明】
【００２９】
本明細書に添付する図面は本発明に対する理解を提供するためのものであり、本発明の多様な実施形態を示し、本発明の説明とともに本発明の技術的思想を説明するためのものである。
【図１】無線通信システムで使用される無線フレーム構造の一例を示す図である。
【図２】無線通信システムにおいて下りリンク／上りリンク(ＤＬ／ＵＬ)スロット構造の一例を示す図である。
【図３】３ＧＰＰ ＬＴＥ／ＬＴＥ−Ａシステムで使用される下りリンク(ｄｏｗｎｌｉｎｋ、ＤＬ)サブフレームの構造を例示する図である。
【図４】３ＧＰＰ ＬＴＥ／ＬＴＥ−Ａシステムで使用される上りリンク(ｕｐｌｉｎｋ、ＵＬ)サブフレームの構造を例示する図である。
【図５】ユーザ平面の遅延(ｌａｔｅｎｃｙ)減少によるＴＴＩ長さの減少を示す図である。
【図６】１つのサブフレーム内に複数の短いＴＴＩが設定された例を示す図である。
【図７】複数の長さ(シンボル数)を有する短いＴＴＩで構成されたＤＬサブフレーム構造を示す図である。
【図８】２つのシンボル又は３つのシンボルの短いＴＴＩで構成されたＤＬサブフレーム構造を示す図である。
【図９】本発明の実施例を具現するための装置を示すブロック図である。
【発明を実施するための形態】
【００３０】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００３１】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００３２】
本発明において、ユーザ機器(ｕｓｅｒ ｅｑｕｉｐｍｅｎｔ，ＵＥ)は、固定していても、移動性を有していてもよいもので、基地局(ｂａｓｅ ｓｔａｔｉｏｎ，ＢＳ)と通信してユーザデータ及び／又は各種制御情報を送受信する各種機器を含む。ＵＥを、端末(Ｔｅｒｍｉｎａｌ Ｅｑｕｉｐｍｅｎｔ)、ＭＳ(Ｍｏｂｉｌｅ Ｓｔａｔｉｏｎ)、ＭＴ(Ｍｏｂｉｌｅ Ｔｅｒｍｉｎａｌ)、ＵＴ(Ｕｓｅｒ Ｔｅｒｍｉｎａｌ)、ＳＳ(Ｓｕｂｓｃｒｉｂｅ Ｓｔａｔｉｏｎ)、無線機器(ｗｉｒｅｌｅｓｓ ｄｅｖｉｃｅ)、ＰＤＡ(Ｐｅｒｓｏｎａｌ Ｄｉｇｉｔａｌ Ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)などと呼ぶこともできる。また、本発明において、ＢＳは一般に、ＵＥ及び／又は他のＢＳと通信する固定局(ｆｉｘｅｄ ｓｔａｔｉｏｎ)を意味し、ＵＥ及び他のＢＳと通信して各種データ及び制御情報を交換する。ＢＳを、ＡＢＳ(Ａｄｖａｎｃｅｄ Ｂａｓｅ Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)、ＰＳ(Ｐｒｏｃｅｓｓｉｎｇ Ｓｅｒｖｅｒ)、送信ポイント(ｔｒａｎｓｍｉｓｓｉｏｎ ｐｏｉｎｔ；ＴＰ)などと呼ぶこともできる。以下の本発明に関する説明では、ＢＳをｅＮＢと総称する。
【００３３】
本発明でいうノード(ｎｏｄｅ)とは、ユーザ機器と通信して無線信号を送信／受信できる固定した地点(ｐｏｉｎｔ)を指す。様々な形態のｅＮＢをその名称にかかわらずノードとして用いることができる。例えば、ＢＳ、ＮＢ、ｅＮＢ、ピコ−セルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ ｒｅｍｏｔｅ ｈｅａｄ，ＲＲＨ)、無線リモートユニット(ｒａｄｉｏ ｒｅｍｏｔｅ ｕｎｉｔ，ＲＲＵ)であってもよい。ＲＲＨ、ＲＲＵなどは一般にｅＮＢの電力レベル(ｐｏｗｅｒ ｌｅｖｅｌ)よりも低い電力レベルを有する。ＲＲＨ或いはＲＲＵ(以下、ＲＲＨ／ＲＲＵ)は一般に、光ケーブルなどの専用回線(ｄｅｄｉｃａｔｅｄ ｌｉｎｅ)でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント(ｐｏｉｎｔ)と呼ばれることもある。アンテナが基地局に集中して位置して１つのｅＮＢコントローラ(ｃｏｎｔｒｏｌｌｅｒ)によって制御される既存の(ｃｏｎｖｅｎｔｉｏｎａｌ)中央集中型アンテナシステム(ｃｅｎｔｒａｌｉｚｅｄ ａｎｔｅｎｎａ ｓｙｓｔｅｍ，ＣＡＳ)(すなわち、単一ノードシステム)と違い、多重ノードシステムにおいて複数のノードは一般に一定間隔以上で離れて位置する。これらの複数のノードは、各ノードの動作を制御したり、各ノードを通して送／受信されるデータをスケジューリング(ｓｃｈｅｄｕｌｉｎｇ)する１つ以上のｅＮＢ或いはｅＮＢコントローラによって管理することができる。各ノードは、当該ノードを管理するｅＮＢ或いはｅＮＢコントローラとケーブル(ｃａｂｌｅ)或いは専用回線(ｄｅｄｉｃａｔｅｄ ｌｉｎｅ)で接続することができる。多重ノードシステムにおいて、複数のノードへの／からの信号送信／受信には、同一のセル識別子(ｉｄｅｎｔｉｔｙ，ＩＤ)が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル(例えば、マクロ−セル／フェムト−セル／ピコ−セル)システムと見なすことができる。複数のノードのそれぞれが形成した多重セルがカバレッジによってオーバーレイする形態で構成されると、これらの多重セルが形成したネットワークを特に多重−階層(ｍｕｌｔｉ−ｔｉｅｒ)ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００３４】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム(例えば、ＣＡＳ、従来のＭＩＭＯシステム、従来の中継システム、従来のリピータシステムなど)とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ(Ｃｒｏｓｓ ｐｏｌａｒｉｚｅｄ)アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３５】
複数の送信(Ｔｘ)／受信(Ｒｘ)ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ(Ｃｏｏｒｄｉｎａｔｅｄ Ｍｕｌｔｉ−Ｐｏｉｎｔ ＴＸ／ＲＸ)という。このようなノード間協調通信のうち、協調送信技法は、ＪＰ(ｊｏｉｎｔ ｐｒｏｃｅｓｓｉｎｇ)とスケジューリング協調(ｓｃｈｅｄｕｌｉｎｇ ｃｏｏｒｄｉｎａｔｉｏｎ)とに区別できる。前者はＪＴ(ｊｏｉｎｔ ｔｒａｎｓｍｉｓｓｉｏｎ)／ＪＲ(ｊｏｉｎｔ ｒｅｃｅｐｔｉｏｎ)とＤＰＳ(ｄｙｎａｍｉｃ ｐｏｉｎｔ ｓｅｌｅｃｔｉｏｎ)とに区別し、後者はＣＳ(ｃｏｏｒｄｉｎａｔｅｄ ｓｃｈｅｄｕｌｉｎｇ)とＣＢ(ｃｏｏｒｄｉｎａｔｅｄ ｂｅａｍｆｏｒｍｉｎｇ)とに区別できる。ＤＰＳは、ＤＣＳ(ｄｙｎａｍｉｃ ｃｅｌｌ ｓｅｌｅｃｔｉｏｎ)と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ(ｄｉｖｅｒｓｉｔｙ)によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャンネル状態の良いノードが通信ノードとして選択されるはずであるため、信号送信の信頼度を向上させることができる。
【００３６】
本発明でいうセル(ｃｅｌｌ)とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル(ｓｅｒｖｉｎｇ ｃｅｌｌ)という。また、特定セルのチャンネル状態／品質は、該特定セルに通信サービスを提供するｅＮＢ或いはノードとＵＥ間に形成されたチャンネル或いは通信リンクのチャンネル状態／品質を意味する。３ＧＰＰ ＬＥＴ−Ａベースのシステムにおいて、ＵＥは、特定ノードからの下りリンクチャンネル状態を、前記特定ノードのアンテナポートが前記特定ノードに割り当てられたチャンネルＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成(ｒｅｓｏｕｒｃｅ ｃｏｎｆｉｇｕｒａｔｉｏｎ)、サブフレームオフセット(ｏｆｆｓｅｔ)及び送信周期(ｔｒａｎｓｍｉｓｓｉｏｎ ｐｅｒｉｏｄ)などによってＣＳＩ−ＲＳが割り当てられたサブフレームを特定するサブフレーム構成(ｓｕｂｆｒａｍｅ ｃｏｎｆｉｇｕｒａｔｉｏｎ)、ＣＳＩ−ＲＳシーケンスのうちの少なくとも１つが互いに異なることを意味する。
【００３７】
本発明において、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ(Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ ＣＨａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを運ぶ時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素(Ｒｅｓｏｕｒｃｅ Ｅｌｅｍｅｎｔ，ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３８】
図１は、無線通信システムで用いられる無線フレーム構造の一例を示す図である。特に、図１(ａ)は、３ＧＰＰ ＬＥＴ／ＬＥＴ−Ａシステムで用いられる周波数分割デュプレックス(ｆｒｅｑｕｅｎｃｙ ｄｉｖｉｓｉｏｎ ｄｕｐｌｅｘ，ＦＤＤ)用フレーム構造を示しており、図１(ｂ)は、３ＧＰＰ ＬＥＴ／ＬＥＴ−Ａシステムで用いられる時間分割デュプレックス(ｔｉｍｅ ｄｉｖｉｓｉｏｎ ｄｕｐｌｅｘ，ＴＤＤ)用フレーム構造を示している。
【００３９】
図１を参照すると、３ＧＰＰ ＬＥＴ／ＬＥＴ−Ａシステムで用いられる無線フレームは、１０ｍｓ(３０７２００Ｔｓ)の長さを有し、１０個の均等なサイズのサブフレーム(ｓｕｂｆｒａｍｅ，ＳＦ)で構成される。１無線フレームにおける１０個のサブフレームにはそれぞれ番号を与えることができる。ここで、Ｔｓは、サンプリング時間を表し、Ｔｓ＝１／(２０４８＊１５ｋＨｚ)で表示される。それぞれのサブフレームは、１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔(ｔｒａｎｓｍｉｓｓｉｏｎ ｔｉｍｅ ｉｎｔｅｒｖａｌ，ＴＴＩ)と定義される。時間リソースは、無線フレーム番号(或いは、無線フレームインデックスともいう)、サブフレーム番号(或いは、サブフレームインデックスともいう)、スロット番号(或いは、スロットインデックスともいう)などによって区別することができる。
【００４０】
無線フレームは、デュプレックス(ｄｕｐｌｅｘ)技法によって別々に構成(ｃｏｎｆｉｇｕｒｅ)することができる。例えば、ＦＤＤモードにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤモードでは下りリンク送信及び上りリンク送信が時間によって区別されるため、特定周波数帯域に対して無線フレームは下りリンクサブフレームも上りリンクサブフレームも含む。
【００４１】
表１はＴＤＤモードで無線フレームにおけるサブフレームのＤＬ−ＵＬ構成(ｃｏｎｆｉｇｕｒａｔｉｏｎ)を例示する。
【００４２】
【表１】
0006916304.tif 000002
【００４３】
表１において、Ｄは下りリンクサブフレームを、Ｕは上りリンクサブフレームを、Ｓは特異(ｓｐｅｃｉａｌ)サブフレームを表す。特異サブフレームは、ＤｗＰＴＳ(Ｄｏｗｎｌｉｎｋ Ｐｉｌｏｔ ＴｉｍｅＳｌｏｔ)、ＧＰ(Ｇｕａｒｄ Ｐｅｒｉｏｄ)、ＵｐＰＴＳ(Ｕｐｌｉｎｋ Ｐｉｌｏｔ ＴｉｍｅＳｌｏｔ)の３つのフィールドを含む。ＤｗＰＴＳは、下りリンク送信のために留保される時間区間であり、ＵｐＰＴＳは上りリンク送信のために留保される時間区間である。表２は特異サブフレーム構成(ｃｏｎｆｉｇｕｒａｔｉｏｎ)を例示する。
【００４４】
【表２】
0006916304.tif 000003
【００４５】
図２は、無線通信システムにおいて下りリンク／上りリンク(ＤＬ／ＵＬ)スロット構造の一例を示す図である。特に、図２は、３ＧＰＰ ＬＥＴ／ＬＥＴ−Ａシステムのリソース格子(ｒｅｓｏｕｒｃｅ ｇｒｉｄ)の構造を示す。アンテナポート当たりに１個のリソース格子がある。
【００４６】
図２を参照すると、スロットは、時間ドメインで複数のＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)シンボルを含み、周波数ドメインで複数のリソースブロック(ｒｅｓｏｕｒｃｅ ｂｌｏｃｋ，ＲＢ)を含む。ＯＦＤＭシンボルは、１シンボル区間を意味することもある。図２を参照すると、各スロットで送信される信号は、ＮDL/ULRB  ＊  ＮRBSC個の副搬送波(ｓｕｂｃａｒｒｉｅｒ)とＮDL/ULsymb個のＯＦＤＭシンボルとで構成されるリソース格子(ｒｅｓｏｕｒｃｅ ｇｒｉｄ)と表現することができる。ここで、ＮDLRBは、下りリンクスロットにおけるリソースブロック(ｒｅｓｏｕｒｃｅ ｂｌｏｃｋ，ＲＢ)の個数を表し、ＮULRBは、ＵＬスロットにおけるＲＢの個数を表す。ＮDLRBとＮULRBは、ＤＬ送信帯域幅とＵＬ送信帯域幅にそれぞれ依存する。ＮDLsymbは、下りリンクスロットにおけるＯＦＤＭシンボルの個数を表し、ＮULsymbは、ＵＬスロットにおけるＯＦＤＭシンボルの個数を表す。ＮRBscは、１つのＲＢを構成する副搬送波の個数を表す。
【００４７】
ＯＦＤＭシンボルは、多重接続方式によって、ＯＦＤＭシンボル、ＳＣ−ＦＤＭ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅｘｉｎｇ)シンボルなどと呼ぶことができる。１つのスロットに含まれるＯＦＤＭシンボルの数は、チャンネル帯域幅、ＣＰ(ｃｙｃｌｉｃ ｐｒｅｆｉｘ)長によって様々に変更可能である。例えば、正規(ｎｏｒｍａｌ)ＣＰの場合は、１つのスロットが７個のＯＦＤＭシンボルを含むが、拡張(ｅｘｔｅｎｄｅｄ)ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、ＮDL/ULRB  ＊  ＮRBSC個の副搬送波を含む。副搬送波の類型は、データ送信のためのデータ副搬送波、参照信号(ｒｅｆｅｒｅｎｃｅ ｓｉｇｎａｌ)の送信のための参照信号副搬送波、ガードバンド(ｇｕａｒｄ ｂａｎｄ)及び直流(Ｄｉｒｅｃｔ Ｃｕｒｒｅｎｔ，ＤＣ)成分のためのヌル(ｎｕｌｌ)副搬送波に分類することができる。ＤＣ成分のためのヌル副搬送波は、未使用のまま残される副搬送波であり、ＯＦＤＭ信号生成過程或いは周波数上り変換過程で搬送波周波数(ｃａｒｒｉｅｒ ｆｒｅｑｕｅｎｃｙ，ｆ０)にマッピング(ｍａｐｐｉｎｇ)される。搬送波周波数は中心周波数(ｃｅｎｔｅｒ ｆｒｅｑｕｅｎｃｙ)と呼ばれることもある。
【００４８】
１ＲＢは、時間ドメインでＮDL/ULsymb個(例えば、７個)の連続するＯＦＤＭシンボルと定義され、周波数ドメインでＮRBsc個(例えば、１２個)の連続する副搬送波と定義される。参考として、１つのＯＦＤＭシンボルと１つの副搬送波で構成されたリソースをリソース要素(ｒｅｓｏｕｒｃｅ ｅｌｅｍｅｎｔ，ＲＥ)或いはトーン(ｔｏｎｅ)という。したがって、１つのＲＢは、ＮDL/ULsymb  ＊  ＮRBSC個のリソース要素で構成される。リソース格子における各リソース要素は、１つのスロットにおけるインデックス対(ｋ，１)によって固有に定義できる。ｋは、周波数ドメインで０からＮDL/ULRB  ＊  ＮRBSC−１まで与えられるインデックスであり、ｌは、時間ドメインで０からＮDL/ULsymb−１まで与えられるインデックスである。
【００４９】
１サブフレームにおいてＮRBSC個の連続した同一副搬送波を占有しながら、当該サブフレームにおける２個のスロットのそれぞれに１個ずつ位置する２個のＲＢを物理リソースブロック(ｐｈｙｓｉｃａｌ ｒｅｓｏｕｒｃｅ ｂｌｏｃｋ，ＰＲＢ)対(ｐａｉｒ)という。ＰＲＢ対を構成する２個のＲＢは、同一のＰＲＢ番号(或いは、ＰＲＢインデックス(ｉｎｄｅｘ)ともいう)を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部(ｌｏｃａｌｉｚｅｄ)タイプのＶＲＢと分散(ｄｉｓｔｒｉｂｕｔｅｄ)タイプのＶＲＢとに区別される。局部タイプのＶＲＢはＰＲＢに直接マッピングされて、ＶＲＢ番号(ＶＲＢインデックスともいう)がＰＲＢ番号に直接対応する。すなわち、ｎPRB＝ｎVRBとなる。局部タイプのＶＲＢには０からＮDLVRB−１順に番号が与えられ、ＮDLVRB＝ＮDLRBである。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００５０】
図３は、３ＧＰＰ ＬＥＴ／ＬＥＴ−Ａシステムで用いられる下りリンク(ｄｏｗｎｌｉｎｋ，ＤＬ)サブフレーム構造を例示する図である。
【００５１】
図３を参照すると、ＤＬサブフレームは、時間ドメインで制御領域(ｃｏｎｔｒｏｌ ｒｅｇｉｏｎ)とデータ領域(ｄａｔａ ｒｅｇｉｏｎ)とに区別される。図３を参照すると、サブフレームの第１のスロットで先頭部における最大３個(或いは４個)のＯＦＤＭシンボルは、制御チャンネルが割り当てられる制御領域(ｃｏｎｔｒｏｌ ｒｅｇｉｏｎ)に対応する。以下、ＤＬサブフレームでＰＤＣＣＨ送信に利用可能なリソース領域(ｒｅｓｏｕｒｃｅ ｒｅｇｉｏｎ)をＰＤＣＣＨ領域と称する。制御領域に用いられるＯＦＤＭシンボル以外のＯＦＤＭシンボルは、ＰＤＳＣＨ(Ｐｈｙｓｉｃａｌ Ｄｏｗｎｌｉｎｋ Ｓｈａｒｅｄ ＣＨａｎｃｅｌ)が割り当てられるデータ領域(ｄａｔａ ｒｅｇｉｏｎ)に該当する。以下、ＤＬサブフレームでＰＤＳＣＨ送信に利用可能なリソース領域をＰＤＳＣＨ領域と称する。３ＧＰＰ ＬＥＴで用いられるＤＬ制御チャンネルの例としては、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ(Ｐｈｙｓｉｃａｌ Ｄｏｗｎｌｉｎｋ Ｃｏｎｔｒｏｌ Ｃｈａｎｎｅｌ)、ＰＨＩＣＨ(Ｐｈｙｓｉｃａｌ ｈｙｂｒｉｄ ＡＲＱ ｉｎｄｉｃａｔｏｒ Ｃｈａｎｎｅｌ)などを含む。ＰＣＦＩＣＨは、サブフレームの最初のＯＦＤＭシンボルで送信され、サブフレームにおいて制御チャンネルの送信に用いられるＯＦＤＭシンボルの個数に関する情報を運ぶ。ＰＨＩＣＨは、ＵＬ送信に対する応答としてＨＡＲＱ(Ｈｙｂｒｉｄ Ａｕｔｏｍａｔｉｃ Ｒｅｐｅａｔ Ｒｅｑｕｅｓｔ)ＡＣＫ／ＮＡＣＫ(ａｃｋｎｏｗｌｅｄｇｍｅｎｔ／ｎｅｇａｔｉｖｅ−ａｃｋｎｏｗｌｅｄｇｍｅｎｔ)信号を運ぶ。
【００５２】
ＰＤＣＣＨを介して送信される制御情報を下りリンク制御情報(ｄｏｗｎｌｉｎｋ ｃｏｎｔｒｏｌ ｉｎｆｏｒｍａｔｉｏｎ，ＤＣＩ)と呼ぶ。ＤＣＩは、ＵＥ又はＵＥグループのためのリソース割り当て情報及び他の制御情報を含む。例えば、ＤＣＩは、ＤＬ共有チャンネル(ｄｏｗｎｌｉｎｋ ｓｈａｒｅｄ ｃｈａｎｎｅｌ，ＤＬ−ＳＣＨ)の送信フォーマット及びリソース割り当て情報、ＵＬ共有チャンネル(ｕｐｌｉｎｋ ｓｈａｒｅｄ ｃｈａｎｎｅｌ，ＵＬ−ＳＣＨ)の送信フォーマット及びリソース割り当て情報、ページングチャンネル(ｐａｇｉｎｇ ｃｈａｎｎｅｌ，ＰＣＨ)上のページング情報、ＤＬ−ＳＣＨ上のシステム情報、ＰＤＳＣＨ上で送信されるランダムアクセス応答のような上位層(ｕｐｐｅｒ ｌａｙｅｒ)制御メッセージのリソース割り当て情報、ＵＥグループ内の個別ＵＥへの送信電力制御命令(Ｔｒａｎｓｍｉｔ Ｃｏｎｔｒｏｌ Ｃｏｍｍａｎｄ Ｓｅｔ)、送信電力制御(Ｔｒａｎｓｍｉｔ Ｐｏｗｅｒ Ｃｏｎｔｒｏｌ)命令、ＶｏＩＰ(Ｖｏｉｃｅ ｏｖｅｒ ＩＰ)の活性化(ａｃｔｉｖａｔｉｏｎ)指示情報、ＤＡＩ(Ｄｏｗｎｌｉｎｋ Ａｓｓｉｇｎｍｅｎｔ Ｉｎｄｅｘ)などを含む。ＤＬ共有チャンネル(ｄｏｗｎｌｉｎｋ ｓｈａｒｅｄ ｃｈａｎｎｅｌ，ＤＬ−ＳＣＨ)の送信フォーマット(Ｔｒａｎｓｍｉｔ Ｆｏｒｍａｔ)及びリソース割り当て情報は、ＤＬスケジューリング情報或いはＤＬグラント(ＤＬ ｇｒａｎｔ)とも呼ばれ、ＵＬ共有チャンネル(ｕｐｌｉｎｋ ｓｈａｒｅｄ ｃｈａｎｎｅｌ，ＵＬ−ＳＣＨ)の送信フォーマット及びリソース割り当て情報は、ＵＬスケジューリング情報或いはＵＬグラント(ＵＬ ｇｒａｎｔ)とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て(ＲＢ ａｌｌｏｃａｔｉｏｎ)、ＭＣＳ(ｍｏｄｕｌａｔｉｏｎ ｃｏｄｉｎｇ ｓｃｈｅｍｅ)、ＲＶ(ｒｅｄｕｎｄａｎｃｙ ｖｅｒｓｉｏｎ)、ＮＤＩ(ｎｅｗ ｄａｔａ ｉｎｄｉｃａｔｏｒ)、ＴＰＣ(ｔｒａｎｓｍｉｔ ｐｏｗｅｒ ｃｏｎｔｒｏｌ)、循環シフトＤＭＲＳ(ｃｙｃｌｉｃ ｓｈｉｆｔ ｄｅｍｏｄｕｌａｔｉｏｎ ｒｅｆｅｒｅｎｃｅ ｓｉｇｎａｌ)、ＵＬインデックス、ＣＱＩ(ｃｈａｎｎｅｌ ｑｕａｌｉｔｙ ｉｎｆｏｒｍａｔｉｏｎ)要請、ＤＬ割り当てインデックス(ＤＬ ａｓｓｉｇｎｍｅｎｔ ｉｎｄｅｘ)、ＨＡＲＱプロセスナンバー、ＴＰＭＩ(ｔｒａｎｓｍｉｔｔｅｄ ｐｒｅｃｏｄｉｎｇ ｍａｔｒｉｘ ｉｎｄｉｃａｔｏｒ)、ＰＭＩ(ｐｒｅｃｏｄｉｎｇ ｍａｔｒｉｘ ｉｎｄｉｃａｔｏｒ)情報などの制御情報が適宜選択された組み合わせが下りリンク制御情報としてＵＥに送信される。
【００５３】
一般に、ＵＥに構成された送信モード(ｔｒａｎｓｍｉｓｓｉｏｎ ｍｏｄｅ，ＴＭ)によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００５４】
ＰＤＣＣＨは、１つ又は複数の連続した制御チャンネル要素(ｃｏｎｔｒｏｌ ｃｈａｎｎｅｌ ｅｌｅｍｅｎｔ，ＣＣＥ)の集成(ａｇｇｒｅｇａｔｉｏｎ)上で送信される。ＣＣＥは、ＰＤＣＣＨに無線チャンネル状態に基づく符号化率(ｃｏｄｉｎｇ ｒａｔｅ)を提供するために用いられる論理的割り当てユニット(ｕｎｉｔ)である。ＣＣＥは、複数のリソース要素グループ(ｒｅｓｏｕｒｃｅ ｅｌｅｍｅｎｔ ｇｒｏｕｐ，ＲＥＧ)に対応する。例えば、１ ＣＣＥは９個のＲＥＧに対応し、１ ＲＥＧは４個のＲＥに対応する。３ＧＰＰ ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間(Ｓｅａｒｃｈ Ｓｐａｃｅ，ＳＳ)と呼ぶ。探索空間内でＰＤＣＣＨが送信されてもよい個別リソースをＰＤＣＣＨ候補(ｃａｎｄｉｄａｔｅ)と呼ぶ。ＵＥがモニタリング(ｍｏｎｉｔｏｒｉｎｇ)するＰＤＣＣＨ候補の集合を探索空間と定義する。３ＧＰＰ ＬＥＴ／ＬＥＴ−ＡシステムでそれぞれのＤＣＩフォーマットのための探索空間は異なるサイズを有してもよく、専用(ｄｅｄｉｃａｔｅｄ)探索空間と共通(ｃｏｍｍｏｎ)探索空間とが定義されている。専用探索空間は、ＵＥ−特定(ｓｐｅｃｉｆｉｃ)探索空間であり、それぞれの個別ＵＥのために構成(ｃｏｎｆｉｇｕｒａｔｉｏｎ)される。共通探索空間は、複数のＵＥのために構成される。以下の表は、探索空間を定義する集成レベル(ａｇｇｒｅｇａｔｉｏｎ ｌｅｖｅｌ)を例示するものである。
【００５５】
【表３】
0006916304.tif 000004
【００５６】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ(ＤＣＩ)を送信し、ＵＥは、ＰＤＣＣＨ(ＤＣＩ)を探すために探索空間をモニタリングする。ここで、モニタリングとは、全てのモニタリングされるＤＣＩフォーマットによって当該探索空間内の各ＰＤＣＣＨの復号(ｄｅｃｏｄｉｎｇ)を試みる(ａｔｔｅｍｐｔ)ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出(ｂｌｉｎｄ ｄｅｔｅｃｔｉｏｎ)(ブラインド復号(ｂｌｉｎｄ ｄｅｃｏｄｉｎｇ，ＢＤ))という。
【００５７】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ(Ｐｈｙｓｉｃａｌ Ｄｏｗｎｌｉｎｋ Ｓｈａｒｅｄ ＣＨａｎｎｅｌ)を割り当てることができる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ(Ｒａｄｉｏ Ｎｅｔｗｏｒｋ Ｔｅｍｐｏｒａｒｙ Ｉｄｅｎｔｉｔｙ)でＣＲＣ(ｃｙｃｌｉｃ ｒｅｄｕｎｄａｎｃｙ ｃｈｅｃｋ)マスキング(ｍａｓｋｉｎｇ)されており、「Ｂ」という無線リソース(例えば、周波数位置)及び「Ｃ」という送信形式情報(例えば、送信ブロックサイズ、変調方式、コーディング情報など)を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５８】
ＵＥがｅＮＢから受信した信号を復調するには、データ信号と比較する参照信号(ｒｅｆｅｒｅｎｃｅ ｓｉｇｎａｌ，ＲＳ)が必要である。参照信号とは、ｅＮＢがＵＥに或いはＵＥがｅＮＢに送信する、ｅＮＢとＵＥが互いに知っている、予め定義された特別な波形の信号を意味し、パイロット(ｐｉｌｏｔ)とも呼ばれる。参照信号は、セル内の全ＵＥに共用されるセル−特定(ｃｅｌｌ−ｓｐｅｃｉｆｉｃ)ＲＳと特定ＵＥに専用される復調(ｄｅｍｏｄｕｌａｔｉｏｎ)ＲＳ(ＤＭ ＲＳ)とに区別される。ｅＮＢが特定ＵＥのための下りリンクデータの復調のために送信するＤＭ ＲＳをＵＥ−特定的(ＵＥ−ｓｐｅｃｉｆｉｃ)ＲＳと特別に称することもできる。下りリンクでＤＭ ＲＳとＣＲＳは共に送信されてもよいが、いずれか一方のみが送信されてもよい。ただし、下りリンクでＣＲＳ無しにＤＭ ＲＳのみが送信される場合、データと同じプリコーダを適用して送信されるＤＭ ＲＳは復調の目的にのみ用いることができるため、チャンネル測定用ＲＳを別途に提供しなければならない。例えば、３ＧＰＰ ＬＥＴ(−Ａ)では、ＵＥがチャンネル状態情報を測定できるようにするために、追加の測定用ＲＳであるＣＳＩ−ＲＳが当該ＵＥに送信される。ＣＳＩ−ＲＳは、チャンネル状態について相対的に時間による変化度が大きくないという事実に着目し、各サブフレーム毎に送信されるＣＲＳとは違い、複数のサブフレームで構成される所定の送信周期毎に送信される。
【００５９】
図４は、３ＧＰＰ ＬＥＴ／ＬＥＴ−Ａシステムで使用される上りリンク(ｕｐｌｉｎｋ，ＵＬ)サブフレーム構造の一例を示す図である。
【００６０】
図４を参照すると、ＵＬサブフレームは、周波数ドメインで制御領域とデータ領域とに区別できる。１つ又は複数のＰＵＣＣＨ(ｐｈｙｓｉｃａｌ ｕｐｌｉｎｋ ｃｏｎｔｒｏｌ ｃｈａｎｎｅｌｓ)が上りリンク制御情報(ｕｐｌｉｎｋ ｃｏｎｔｒｏｌ ｉｎｆｏｒｍａｔｉｏｎ，ＵＣＩ)を運ぶために制御領域に割り当てることができる。１つ又は複数のＰＵＳＣＨ(ｐｈｙｓｉｃａｌ ｕｐｌｉｎｋ ｓｈａｒｅｄ ｃｈａｎｎｅｌｓ)がユーザデータを運ぶために、ＵＬサブフレームのデータ領域に割り当てられてもよい。
【００６１】
ＵＬサブフレームではＤＣ(Ｄｉｒｅｃｔ Ｃｕｒｒｅｎｔ)副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００６２】
ＰＵＣＣＨは、次の制御情報を送信するために使用される。
【００６３】
−ＳＲ(Ｓｃｈｅｄｕｌｉｎｇ Ｒｅｑｕｅｓｔ)：上りリンクＵＬ−ＳＣＨリソースを要請するために使用される情報である。ＯＯＫ(Ｏｎ−Ｏｆｆ Ｋｅｙｉｎｇ)方式を用いて送信される。
【００６４】
−ＨＡＲＱ−ＡＣＫ：ＰＤＣＣＨに対する応答及び／又はＰＤＳＣＨ上の下りリンクデータパケット(例えば、コードワード)に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ(簡単に、ＡＣＫ)、ネガティブＡＣＫ(以下、ＮＡＣＫ)、ＤＴＸ(Ｄｉｓｃｏｎｔｉｎｕｏｕｓ Ｔｒａｎｓｍｉｓｓｉｏｎ)又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６５】
−ＣＳＩ(Ｃｈａｎｎｅｌ Ｓｔａｔｅ Ｉｎｆｏｒｍａｔｉｏｎ)：下りリンクチャンネルに対するフィードバック情報(ｆｅｅｄｂａｃｋ ｉｎｆｏｒｍａｔｉｏｎ)である。ＭＩＭＯ(Ｍｕｌｔｉｐｌｅ Ｉｎｐｕｔ Ｍｕｌｔｉｐｌｅ Ｏｕｔｐｕｔ)−関連フィードバック情報は、ＲＩ(Ｒａｎｋ Ｉｎｄｉｃａｔｏｒ)及びＰＭＩ(Ｐｒｅｃｏｄｉｎｇ Ｍａｔｒｉｘ Ｉｎｄｉｃａｔｏｒ)を含む。
【００６６】
ＵＥがサブフレームで送信可能な上りリンク制御情報(ＵＣＩ)の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ(Ｓｏｕｎｄｉｎｇ Ｒｅｆｅｒｅｎｃｅ Ｓｉｇｎａｌ)が構成されているサブフレームでは、サブフレームの最後のＳＣ−ＦＤＭＡシンボルも除く。参照信号は、ＰＵＣＣＨのコヒーレント(ｃｏｈｅｒｅｎｔ)検出に用いられる。ＰＵＣＣＨは、送信される情報によって様々なフォーマットを支援する。
【００６７】
表４はＬＥＴ／ＬＥＴ−ＡシステムにおいてＰＵＣＣＨフォーマットとＵＣＩとのマッピング関係を示す。
【００６８】
【表４】
0006916304.tif 000005
【００６９】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャンネル状態情報(ｃｈａｎｎｅｌ ｓｔａｔｅ ｉｎｆｏｒｍａｔｉｏｎ，ＣＳＩ)を運ぶために用いられ、ＰＵＣＣＨフォーマット３系列はＡＣＫ／ＮＡＣＫ情報を送信するために用いられる。
【００７０】
参照信号(Ｒｅｆｅｒｅｎｃｅ Ｓｉｇｎａｌ；ＲＳ)
【００７１】
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号(Ｐｉｌｏｔ Ｓｉｇｎａｌ)又は参照信号(Ｒｅｆｅｒｅｎｃｅ Ｓｉｇｎａｌ)という。
【００７２】
多重アンテナを用いてデータを送受信する場合、各送信アンテナと受信アンテナの間のチャネル状況を知らないと、正しい信号を受信することができない。従って、各送信アンテナごとに、より詳しくはアンテナポート(ａｎｔｅｎｎａ ｐｏｒｔ)ごとに異なった参照信号が存在しなければならない。
【００７３】
参照信号は上りリンク参照信号と下りリンク参照信号とに区別できる。現在、いくつのシステム、例えば、ＬＥＴベースのシステムにおいて、上りリンク参照信号として、
【００７４】
i)ＰＵＳＣＨ及びＰＵＣＣＨを介して送信された情報のコヒーレント(ｃｏｈｅｒｅ
ｎｔ)な復調のためのチャネル推定のための復調参照信号(ＤｅＭｏｄｕｌａｔｉｏｎ−Ｒｅｆｅｒｅｎｃｅ Ｓｉｇｎａｌ，ＤＭ−ＲＳ)及び
【００７５】
ii)ｅＮＢが、ネットワークの異なる周波数における上りリンクチャネル品質を測定するためのサウンディング参照信号(Ｓｏｕｎｄｉｎｇ Ｒｅｆｅｒｅｎｃｅ Ｓｉｇｎａｌ，ＳＲＳ)を含む。
【００７６】
一方、下りリンク参照信号としては、例えば、
【００７７】
i) セル内の全ての端末が共有するセル−特定の参照信号(Ｃｅｌｌ−ｓｐｅｃｉｆｉｃ Ｒｅｆｅｒｅｎｃｅ Ｓｉｇｎａｌ，ＣＲＳ);
【００７８】
ii) 特定のＵＥのみのための端末−特定の参照信号(ＵＥ−ｓｐｅｃｉｆｉｃ Ｒｅｆｅｒｅｎｃｅ Ｓｉｇｎａｌ);
【００７９】
iii) ＰＤＳＣＨが送信される場合に、コヒーレントな復調のために送信される(ＤｅＭｏｄｕｌａｔｉｏｎ−Ｒｅｆｅｒｅｎｃｅ Ｓｉｇｎａｌ，ＤＭ−ＲＳ);
【００８０】
iv) 下りリンクＤＭＲＳが送信される場合に、チャネル状態情報(Ｃｈａｎｎｅｌ Ｓｔａｔｅ Ｉｎｆｏｒｍａｔｉｏｎ；ＣＳＩ)を伝達するためのチャネル状態情報の参照信号(Ｃｈａｎｎｅｌ Ｓｔａｔｅ Ｉｎｆｏｒｍａｔｉｏｎ−Ｒｅｆｅｒｅｎｃｅ Ｓｉｇｎａｌ，ＣＳＩ−ＲＳ);
【００８１】
v) ＭＢＳＦＮ(Ｍｕｌｔｉｍｅｄｉａ Ｂｒｏａｄｃａｓｔ Ｓｉｎｇｌｅ Ｆｒｅｑｕｅｎｃｙ Ｎｅｔｗｏｒｋ)モードで送信される信号に対するコヒーレントな復調のために送信されるＭＢＳＦＮ参照信号(ＭＢＳＦＮ Ｒｅｆｅｒｅｎｃｅ Ｓｉｇｎａｌ);及び
【００８２】
vi) 端末の地理的位置情報を推定するために用いられる位置参照信号(Ｐｏｓｉｔｉｏｎｉｎｇ Ｒｅｆｅｒｅｎｃｅ Ｓｉｇｎａｌ)がある。
【００８３】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することができる。この参照信号は、データの送信される領域で送信されなければならない。
【００８４】
搬送波集成(Ｃａｒｒｉｅｒ Ａｇｇｒｅｇａｔｉｏｎ；ＣＡ)
【００８５】
ＣＡは、無線通信システムがより広い周波数帯域を使用するために、端末が上りリンクリソース(又は要素(ｃｏｍｐｏｎｅｎｔ)搬送波)及び／又は下りリンクリソース(又は要素搬送波)で構成された周波数ブロック又は(論理的意味の)複数のセルを使用して１つの大きい論理周波数帯域として使用する方法を意味する。
【００８６】
ＬＴＥシステムの場合、１つの下りリンク要素搬送波と１つの上りリンク要素搬送波を使用する反面、ＬＴＥ−Ａシステムの場合は、複数の要素搬送波が使用される。この時、制御チャネルがデータチャネルをスケジューリングする方式は、既存のリンク又はセルフ搬送波スケジューリング(Ｌｉｎｋｅｄ／ｓｅｌｆ ｃａｒｒｉｅｒ ｓｃｈｅｄｕｌｉｎｇ)方式と交差搬送波スケジューリング(Ｃｒｏｓｓ ｃａｒｒｉｅｒ ｓｃｈｅｄｕｌｉｎｇ；ＣＣＳ)方式とに区分される。
【００８７】
より具体的には、リンク／セルフ搬送波スケジューリングは、単一の要素搬送波を使用する既存のＬＴＥシステムのように、特定の要素搬送波により送信される制御チャネルは特定の要素搬送波によりデータチャネルのみをスケジューリングする。
【００８８】
一方、交差スケジューリングは、搬送波指示子フィールド(Ｃａｒｒｉｅｒ Ｉｎｄｉｃａｔｏｒ Ｆｉｅｌｄ；ＣＩＦ)を使用して主コンポーネント搬送波(Ｐｒｉｍａｒｙ ＣＣ)により送信される制御チャネルが、主要素搬送波により送信される或いは他の要素搬送波により送信されるデータチャネルをスケジューリングする。
【００８９】
ＥＰＤＣＣＨ(Ｅｎｈａｎｃｅｄ ＰＤＣＣＨ)一般
【００９０】
多重ノードシステムの導入により様々な通信技法の適用が可能となり、チャネル品質の改善を期待できるが、上述したＭＩＭＯ技法及びセル間の協力通信技能を多重ノード環境に適用するためには、新しい制御チャネルの導入が要求され、これによりＬＴＥ−Ａシステムで導入された制御チャネルがＥＰＤＣＣＨ(Ｅｎｈａｎｃｅｄ−ＰＤＣＣＨ)であり、ＥＰＤＣＣＨは１つのＴＴＩ(ｔｒａｎｓｍｉｓｓｉｏｎ ｔｉｍｅ ｉｎｔｅｒｖａｌ)又は１つのサブフレーム内の制御領域ではないデータ領域に割り当てられる。結果として、かかるＥＰＤＣＣＨにより各端末ごとにノードに関する制御情報が送信可能になり、既存のＰＤＣＣＨ領域における問題を解決することができる。
【００９１】
次のシステムでは様々な適用分野における要求事項を満たすために、全ての或いは特定の物理チャネルに対してＴＴＩ(の長さ)を様々に設定する状況が考えられる。より特徴的には、シナリオによってｅＮＢとＵＥの間の通信時に遅延を減らすために、ＰＤＣＣＨ／ＰＤＳＣＨ／ＰＵＳＣＨ／ＰＵＣＣＨなどの物理チャネル送信が使用されるＴＴＩを１ｍｓｅｃより小さく設定することができる(以下、これらを各々ｓＰＤＣＣＨ／ｓＰＤＳＣＨ／ｓＰＵＳＣＨ／ｓＰＵＣＣＨとする)。また、単一のＵＥ或いは複数のＵＥについて、単一のサブフレーム(例えば、、１ｍｓｅｃ)内で複数の物理チャネルが存在することができ、各々ＴＴＩ(の長さ)が異なることができる。以下の実施例では、説明の便宜上、ＬＴＥシステムを一例とする。この時、ＴＴＩはＬＴＥシステムにおける一般的なサブフレームサイズの１ｍｓｅｃであり(以下、一般ＴＴＩ)、短いＴＴＩはそれより小さい値をいい、単一／複数のＯＦＤＭ或いはＳＣ−ＦＤＭＡシンボル単位である。説明の便宜上、短いＴＴＩ(即ち、ＴＴＩ長さが既存の１つのサブフレームより小さい場合)を仮定したが、ＴＴＩが１つのサブフレームより長くなる場合、或いは１ｍｓ以上である場合についても本発明の主要特徴を拡張して適用することができる。特徴的には、次のシステムにおいて、副搬送波間隔(ｓｕｂｃａｒｒｉｅｒ ｓｐａｃｉｎｇ)を増加させる形態で短いＴＴＩが導入される場合にも、本発明の主要特徴を拡張して適用できる。説明の便宜上、ＬＴＥに基づいて発明を説明するが、該当内容はｎｅｗ ＲＡＴ(ｎｅｗ ｒａｄｉｏ ａｃｃｅｓｓ ｔｅｃｈｎｏｌｏｇｙ;ＲＡＴ)などの他の波形／フレーム構造(ｗａｖｅｆｏｒｍ／ｆｒａｍｅ ｓｔｒｕｃｔｕｒｅ)が使用される技術にも適用できる。一般的には、本発明ではｓＴＴＩ(＜１ｍｓｅｃ)、ｌｏｎｇＴＴＩ(＝１ｍｓｅｃ)、ｌｏｎｇｅｒＴＴＩ(＞１ｍｓｅｃ)と仮定する。以下の実施例では、互いに異なるＴＴＩ長さ／ニューマロロジー／プロセシング時間を有する複数のＵＬチャネルについて説明したが、互いに異なるサービス要求事項、遅延、スケジューリングユニットが適用される複数のＵＬ／ＤＬチャネルに拡張して適用することもできる。
【００９２】
上述した遅延減少、即ち、低い遅延を満たすために、データ送信の最小単位であるＴＴＩを縮めて０.５ｍｓｅｃ以下の短いＴＴＩ(ｓＴＴＩ)を新しくデザインする必要がある。例えば、図５に示すように、ｅＮＢがデータ(ＰＤＣＣＨ及びＰＤＳＣＨ)の送信を開始してからＵＥがＡ／Ｎ(ＡＣＫ／ＮＡＣＫ)の送信を完了するまでのユーザ平面(Ｕｓｅｒ ｐｌａｎｅ;Ｕ−ｐｌａｎｅ)遅延を１ｍｓｅｃに減らすためには、約３ＯＦＤＭシンボルを単位としてｓＴＴＩを構成することができる。
【００９３】
下りリンクの環境では、かかるｓＴＴＩ内におけるデータの送信／スケジューリングのためのＰＤＣＣＨ(即ち、ｓＰＤＣＣＨ)とｓＴＴＩ内で送信が行われるＰＤＳＣＨ(即ち、ｓＰＤＳＣＨ)が送信されることができ、例えば、図６に示すように、１つのサブフレーム内に複数のｓＴＴＩが互いに異なるＯＦＤＭシンボルを使用して構成されることができる。特徴的には、ｓＴＴＩを構成するＯＦＤＭシンボルは、レガシー制御チャネルが送信されるＯＦＤＭシンボルを除いて構成される。ｓＴＴＩ内におけるｓＰＤＣＣＨとｓＰＤＳＣＨの送信は、互いに異なるＯＦＤＭシンボル領域を使用してＴＤＭ(ｔｉｍｅ ｄｉｖｉｓｉｏｎ ｍｕｌｔｉｐｌｅｘｉｎｇ)された形態で送信され、互いに異なるＰＲＢ領域／周波数リソースを使用してＦＤＭ(ｆｒｅｑｕｅｎｃｙ ｄｉｖｉｓｉｏｎ ｍｕｌｔｉｐｌｅｘｉｎｇ)された形態で送信されることもできる。
【００９４】
上りリンクの環境でも、上述した下りリンクの環境のように、ｓＴＴＩ内でデータの送信／スケジューリングが可能であり、既存のＴＴＩ基盤のＰＵＣＣＨとＰＵＳＣＨに対応するチャネルをｓＰＵＣＣＨ、ｓＰＵＳＣＨと称する。
【００９５】
この明細書では、ＬＴＥ／ＬＴＥ−Ａシステムを基準として発明を説明する。既存のＬＴＥ／ＬＴＥ−Ａにおいて、１ｍｓのサブフレームは一般ＣＰを有する場合、１４個のＯＦＤＭシンボルで構成され、これを１ｍｓより短い単位のＴＴＩを構成する場合、１つのサブフレーム内に複数のＴＴＩを構成できる。複数のＴＴＩを構成する方式は、以下の図７に示した実施例のように、２シンボル、３シンボル、４シンボル、７シンボルが１つのＴＴＩを構成できる。図示していないが、１シンボルのＴＴＩを有する場合も考えることができる。１シンボルが１つのＴＴＩ単位になると、２つのＯＦＤＭシンボルにレガシーＰＤＣＣＨを送信するという仮定下で、１２個のＴＴＩが生成される。同様に、図７の(ａ)のように、２シンボルが１つのＴＴＩ単位になると、６つのＴＴＩ、図７の(ｂ)のように、３シンボルが１つのＴＴＩ単位になると、４つのＴＴＩ、図７の(ｃ)のように、４シンボルが１つのＴＴＩ単位になると、３つのＴＴＩを生成できる。勿論、この場合、最初の２つのＯＦＤＭシンボルはレガシーＰＤＣＣＨが送信されたと仮定する。
【００９６】
図７の(ｄ)に示したように、７つのシンボルが１つのＴＴＩを構成すると、レガシーＰＤＣＣＨを含む７つのシンボル単位の１つのＴＴＩと後の７つのシンボルが１つのＴＴＩを構成できる。この時、ｓＴＴＩを支援する端末の場合、１つのＴＴＩが７シンボルで構成されると、１つのサブフレームの前側に位置するＴＴＩ(１番目のスロット)についてはレガシーＰＤＣＣＨが送信される前側の２つのＯＦＤＭシンボルに対してはパンクチャリングするか、又はレートマッチングされたと仮定し、その後５つのシンボルに自分のデータ及び／又は制御情報が送信されると仮定する。反面、１つのサブフレームの後側に位置するＴＴＩ(２番目のスロット)に対して、端末はパンクチャリングやレートマッチングするリソース領域無しに７つのシンボルに全てデータ及び／又は制御情報を送信できると仮定する。
【００９７】
また本発明では、２つのＯＦＤＭシンボル(以下、"ＯＳ")で構成されたｓＴＴＩと３つのＯＳで構成されたｓＴＴＩが、図８のように１つのサブフレーム内に混合されて存在するｓＴＴＩ構造も考慮する。このような２−ＯＳ又は３−ＯＳのｓＴＴＩで構成されたｓＴＴＩを簡単に２−シンボルｓＴＴＩ(即ち、２−ＯＳ ｓＴＴＩ)と定義する。また、２−シンボルｓＴＴＩ又は３−シンボルｓＴＴＩを簡単に２−シンボルＴＴＩ又は３−シンボルＴＴＩと称することもでき、これらが全て本発明で前提しているレガシーＴＴＩである１ｍｓ ＴＴＩより短いＴＴＩであることは明らかである。即ち、この明細書において"ＴＴＩ"と称してもｓＴＴＩであることができ、その名称に関係なく、本発明ではレガシーＴＴＩより短い長さのＴＴＩで構成されたシステムにおける通信方式を提案する。
【００９８】
この明細書において、ニューマロロジーとは、該当無線通信システムに適用されるＴＴＩ長さ、副搬送波間隔などの決定、決められたＴＴＩ長さ又は副搬送波間隔などのパラメータ又はそれらに基づく通信構造又はシステムなどを意味する。
【００９９】
図８の(ａ)に示した＜３,２,２,２,２,３＞ｓＴＴＩパターンではＰＤＣＣＨのシンボル数によってｓＰＤＣＣＨが送信されることができる。図８の(ｂ)に示した＜２,３,２,２,２,３＞ｓＴＴＩパターンではレガシーＰＤＣＣＨ領域のためにｓＰＤＣＣＨの送信が難しい。
【０１００】
ｎｅｗ ＲＡＴ(ｎｅｗ ｒａｄｉｏ ｔｅｃｈｎｏｌｏｇｙ；ＮＲ)
【０１０１】
以上、３ＧＰＰ ＬＴＥ(−Ａ)システムの構造、動作又は機能などを説明したが、ＮＲでは３ＧＰＰ ＬＴＥ(−Ａ)における構造、動作又は機能などが少し変形されたり他の方式で具現又は設定されることができる。その一部を簡単に説明する。
【０１０２】
ＮＲでは様々なニューマロロジーを支援する。例えば、副搬送波間隔が１５ＫＨｚだけではなく、その２n倍(ｎ＝１、２、３、４)まで支援する。
【０１０３】
また正規ＣＰの場合、スロット当たりのＯＦＤＭシンボル(今後、単に"シンボル"という)の数は１４個に固定されるが、１つのサブフレーム内のスロット数が２k個(ｋ＝０、１、２、３、４、５)まで支援され、ただ無線フレームが１０個のサブフレームで構成されることは、既存のＬＴＥシステムと同一である。拡張ＣＰの場合、スロット当たりのシンボル数が１２個に固定され、１つのサブフレームは４つのスロットで構成される。また既存のＬＴＥシステムのように、１つのリソースブロックは周波数ドメインで１２個の連続する副搬送波により定義される。
【０１０４】
また１スロット内の各シンボルの用途(例えば、下りリンク、上りリンク又は自由自在(ｆｌｅｘｉｂｌｅ))がスロットフォーマットによって定義され、１スロット内で下りリンクシンボルと上りリンクシンボルを全て設定することもできるが、かかる場合を自己完結型(ｓｅｌｆ ｃｏｎｔａｉｎｅｄ)サブフレーム(又はスロット)構造と呼ぶ。
【０１０５】
マルチ−ＴＴＩスケジューリング(Ｍｕｌｔｉ−ＴＴＩ ｓｃｈｅｄｕｌｉｎｇ)
【０１０６】
遅延の減少を達成するための１つの方案として、ＴＴＩ長さをより短く定義して送信する方案が考えられる。一例として、２／３シンボルｓＴＴＩ長さを有するＰＤＳＣＨ及びＰＵＳＣＨが定義されてＤＬ及びＵＬデータを送受信する方案が考えられる。このような方案を考える時、毎ＴＴＩごとにスケジューリングのための制御チャネルも送信されなければならないので、制御オーバーヘッドが増加する短所があり得る。これを解決するための１つの方案として、１つの制御チャネルが複数のＴＴＩをスケジューリングするマルチ−ＴＴＩスケジューリングが考えられる。マルチ−ＴＴＩスケジューリングが考えられる場合、以下のように提案する。
【０１０７】
マルチ−ＴＴＩスケジューリング時のＨＡＲＱ−ＡＣＫリソース
【０１０８】
マルチ−ＴＴＩスケジューリングＤＣＩによりスケジュールされたＰＤＳＣＨに対するＨＡＲＱ−ＡＣＫリソースが以下のように決定されるように規定できる。
【０１０９】
Ａｌｔ １:スケジュールされた複数のＴＴＩのうち、特定のＴＴＩに対するＨＡＲＱ−ＡＣＫリソースが多重ＴＴＩスケジューリングＤＣＩにより指示され、残りのスケジュールされたＴＴＩに対するＨＡＲＱ−ＡＣＫリソースは暗示的に決定されることができる。一例として、スケジュールされた複数のＴＴＩのうち、１番目のＴＴＩに対するＨＡＲＱ−ＡＣＫリソースは、マルチ−ＴＴＩスケジューリングＤＣＩの最低ＣＣＥインデックスにより、或いはＡＲＩ(Ａ／Ｎリソース指示子)の特定の状態に連関する特定のリソースにより決定され、残りのスケジュールされたＴＴＩに対するＨＡＲＱ−ＡＣＫリソースは、上記決定されたリソースに対比するオフセットが適用されたリソースにより決定されることができる。
【０１１０】
ここで、オフセット(又は複数のＴＴＩに各々適用されるオフセット集合)は０であることができ、スケジュールされたＴＴＩのインデックス及び／又は何回目にスケジュールされたＴＴＩであるかに関する情報により予め約束された値であることもできる。又は、オフセット(又は複数のＴＴＩに各々適用されるオフセットの集合)がＤＣＩ或いは上位階層信号により指示／設定されることもできる。より具体的には、１番目のスケジュールされたＴＴＩのＰＵＣＣＨリソースインデックスがｍである場合、２番目、３番目のスケジュールされたＴＴＩのＰＵＣＣＨリソースインデックスが各々ｍ＋１、ｍ＋２に決定されるように規定できる。
【０１１１】
Ａｌｔ ２：複数のＴＴＩに対するＨＡＲＱ−ＡＣＫリソース情報がＡＲＩの各状態について予め設定され、マルチ−ＴＴＩスケジューリングＤＣＩにより指示されたＡＲＩの特定状態によりスケジュールされたＴＴＩのＰＵＣＣＨリソースが決定されることができる。一例として、ＡＲＩの各状態はマルチ−ＴＴＩスケジューリングによりスケジューリングされる最大数に該当するＰＵＣＣＨリソースを設定しておき、マルチ−ＴＴＩスケジューリングＤＣＩにおいて、それより少ない数のＴＴＩをスケジューリングする場合には、指示されたＡＲＩ状態に対応するＰＵＣＣＨリソースのうち、最初からスケジュールされたＴＴＩ数に該当するＰＵＣＣＨリソースが使用されるように規定することができる。
【０１１２】
マルチ−ＴＴＩスケジューリング時のＰＤＣＣＨブラインド復号(ｂｌｉｎｄ ｄｅｃｏｄｉｎｇ；ＢＤ)
【０１１３】
マルチ−ＴＴＩスケジューリングＤＣＩをモニタするためのＰＤＣＣＨ ＲＢ集合が特に設定されるように規定できる。又はマルチ−ＴＴＩスケジューリングＤＣＩをモニタするための集成レベル(ａｇｇｒｅｇａｔｉｏｎ ｌｅｖｅｌ；ＡＬ)及び／又はＢＤ候補数(又はＢＤ候補の減少因子)がＰＤＣＣＨ ＲＢ集合ごとに独立して設定されるように規定できる。特徴的には、これは単一のＴＴＩスケジューリングＤＣＩをモニタするためのものとは区分される。又はＰＤＣＣＨ ＲＢ集合内のパラメータのうち、マルチ−ＴＴＩスケジューリングの可能有無が上位階層信号により設定されることができる。
【０１１４】
使用されないリソースの活用
【０１１５】
制御オーバーヘッドを緩和するために、制御チャネルとして使用されるリソース以外のリソースを最大限データチャネルの送信に使用するように許容して、使用されないリソースを最大限に使用することができる。このために様々な方案が考えられるが、マルチ−ＴＴＩスケジューリングが適用される場合にも、使用されないリソースが最大限に使用されるように設定することが好ましい。
【０１１６】
特徴的には、マルチ−ＴＴＩスケジューリングＤＣＩによりスケジュールされた複数のＴＴＩのうち、該当ＤＣＩが含まれないＴＴＩでは特定(又は全て)のＰＤＣＣＨ ＲＢ集合により指示されたＲＢ或いはＲＢＧについてデータがレートマッチングされるように規定できる。かかる設定は、マルチ−ＴＴＩスケジューリングが行われた該当複数のＴＴＩに対して１つの設定により共通に適用でき、該当複数のＴＴＩを構成するＴＴＩごとに設定を変更することもできる。これはマルチ−ＴＴＩスケジューリングが行われ、該当スケジュールされた複数のＴＴＩについてスケジューリング優先権(ｓｃｈｅｄｕｌｉｎｇ ｐｒｅ−ｅｍｐｔｉｏｎ)が許容されない場合に有用である。
【０１１７】
マルチ−ＴＴＩスケジューリングされないＴＴＩに対するシグナリング
【０１１８】
マルチ−ＴＴＩスケジューリングＤＣＩにより特定区間の複数のＴＴＩのうちの一部或いは全体ＴＴＩに対してスケジュールされるＴＴＩであるか否かを指示でき、スケジューリングされなかったと指示されたＴＴＩに対しては、端末がＤＣＩモニタリングもしないように規定することができる。或いは、上位階層信号によりマルチ−ＴＴＩスケジューリングＤＣＩによりスケジュールされるＴＴＩが指示された場合は、該当複数のスケジュールされたＴＴＩのうち、マルチ−ＴＴＩスケジューリングＤＣＩが含まれないＴＴＩでは端末がＤＣＩモニタリングを行わないように規定することができる。
【０１１９】
マルチ−ＴＴＩのうち、ＣＳＩ報告又はＳＲＳ送信されるＴＴＩの設定
【０１２０】
上記提案方法或いはその他の方式に基づいてマルチ−ＴＴＩスケジューリングが適用される場合、マルチ−ＴＴＩスケジューリングＤＣＩ内のＣＳＩ要請及びＳＲＳ要請に対応するＴＴＩ時点(例えば、非周期的ＣＳＩフィードバックを含むＰＵＳＣＨの送信時点)を設定する必要があり、特徴的には該当ＴＴＩ時点は複数のスケジュールされたＴＴＩのうち、ＤＭＲＳが存在する最初又は最後のＴＴＩ或いは予め約束されたか又はＤＣＩにより指示されたＴＴＩにより設定される。これはトリガーされたＣＳＩの信頼度の高い送信のためにＤＭＲＳが該当ＴＴＩ内に存在する場合にのみＣＳＩ報告を許容することである。
【０１２１】
逆に、複数のスケジュールされたＴＴＩのうち、ＤＭＲＳが存在しない最初又は最後のＴＴＩ或いは予め約束されたか又はＤＣＩにより指示されたＴＴＩにより設定されることもできる。これはＣＳＩによるレートマッチングがＰＵＳＣＨ送信の符号化率を高めることができるので、これを緩和させるためにＤＭＲＳのないＴＴＩにＣＳＩ報告を含めることである。
【０１２２】
さらに他の方案として、複数のスケジュールされたＴＴＩのうち、一部(又は全体)のＴＴＩに繰り返してＣＳＩ報告を含めるように規定することもできる。これにより、ＣＳＩの信頼度をより向上させることができる。
【０１２３】
ＳＲＳ送信ＴＴＩ
【０１２４】
上記提案方法或いはその他の方式に基づいてマルチ−ＴＴＩスケジューリングが適用される場合、マルチ−ＴＴＩスケジューリングＤＣＩ内のＳＲＳ要請に対応するＴＴＩ時点(例えば、非周期的ＳＲＳ信号の送信時点)を設定する必要があり、複数のスケジュールされたＴＴＩのうち、ＳＲＳサブフレームに属する最後のＴＴＩでＳＲＳが送信されることができる。又は、ＳＲＳ送信ＴＴＩが特に定義され(例えば、ＳＲＳ ｓＴＴＩ)、複数のスケジュールされたＴＴＩのうち、ＳＲＳ送信ＴＴＩが存在する場合、該当ＴＴＩでＳＲＳが送信されることもできる。
【０１２５】
ＨＡＲＱ−ＡＣＫ送信ＴＴＩ
【０１２６】
マルチ−ｓＴＴＩスケジューリングされる場合、各ｓＰＤＳＣＨに対応するＨＡＲＱ−ＡＣＫタイミングにＨＡＲＱ−ＡＣＫが各々送信されるか、又はマルチ−ｓＴＴＩ ｓＰＤＳＣＨに対する集成及び／又はバンドリングされたＨＡＲＱ−ＡＣＫが送信されることができる。またこれらのうちの１つをネットワークが設定することもできる。前者の場合、ＨＡＲＱ−ＡＣＫ応答が早い反面、ＰＵＣＣＨ／ＵＣＩオーバーヘッドが増加し、後者の場合は、遅延が遅くなることができる。またマルチ−ｓＴＴＩスケジューリングに１つのＴＢがマッピングされる場合、ＨＡＲＱ−ＡＣＫは最後のｓＴＴＩを基準としてタイミングを設定すると仮定でき、該当タイミングに対応するＰＵＣＣＨ／ＵＣＩリソースで送信されると仮定できる。またＨＡＲＱ−ＡＣＫ方式は再送信に連関することもできる。マルチ−ｓＴＴＩスケジューリングされた場合、単一−ｓＴＴＩスケジューリングにより一部のみを再送信でき、再送信時にもマルチ−ｓＴＴＩスケジューリングを用い、送信されるＴＢが最初の送信時に送信されたＴＢの部分集合であることができる。即ち、再送信時にはＮＡＣＫ或いはＤＴＸに該当するＴＢのみについて送信が行われると仮定できる。もし再送信が単一のｓＴＴＩによりスケジュールされる場合、或いは単一のｓＴＴＩとマルチ−ｓＴＴＩ ＤＣＩが共存する場合、ＤＣＩサイズをパディング(ｐａｄｄｉｎｇ)などを用いて合わせると仮定でき、単一のｓＴＴＩであるか又はマルチｓＴＴＩであるかに対する指示が該当ＤＣＩに追加されることができる。或いは、各ＰＲＢ集合ごとにＤＣＩサイズを構成して、マルチｓＴＴＩと単一のｓＴＴＩを個々に送信できる。
【０１２７】
クロス−キャリアのスケジューリング
【０１２８】
セルごとに独立して(異なる)プロセシング時間を設定できる場合、クロス−キャリアのスケジューリング時にプロセシング時間の導出に対する基地局と端末の間の規則が必要である。一例として、スケジューリングセルとスケジュールされるセルのプロセシング時間設定が指示するプロセシング時間が異なる場合、端末は２つのうち、どのプロセシング時間によってＤＬ割り当て−ｔｏ−ＤＬデータ及び／又はＤＬデータ−ｔｏ−ＤＬ ＨＡＲＱ及び／又はＵＬ承認−ｔｏ−ＵＬデータなどのプロセシング時間を決定するかが曖昧である。従って、スケジューリングセルとスケジュールされるセルのプロセシング時間設定が指示するプロセシング時間が同一に設定された場合にのみ、クロス−キャリアのスケジューリングが許容されるように規定することができる。
【０１２９】
現在ＬＴＥ標準(ＴＳ ３６．３３１)におけるクロス−キャリアスケジューリングは以下のように定義されている。
【０１３０】
CrossCarrierSchedulingConfig
The IE CrossCarrierSchedulingConfig is used to specify the configuration when the cross carrier scheduling is used in a cell.
CrossCarrierSchedulingConfig information elements
ASN1START
CrossCarrierSchedulingConfig-r10 ::=SEQUENCE {
schedulingCellInfo-r10 CHOICE {
own-r10 SEQUENCE {-- No cross carrier scheduling
cif-Presence-r10 BOOLEAN
},
other-r10  SEQUENCE {-- Cross carrier scheduling
schedulingCellId-r10 ServCellIndex-r10,
pdsch-Start-r10 INTEGER (1..4)
}
}
}
ASN1STOP
【０１３１】
【表５】
0006916304.tif 000006
【０１３２】
このようなクロス−キャリアのスケジューリング関連設定(例えば、スケジューリングセル情報、ＰＤＳＣＨ開始シンボル情報など)は、プロセシング時間関連設定に関係なく端末に設定又は適用される。かかる場合、異なるプロセシング時間設定を有するスケジューリングセルとスケジュールされるセルとの関係が発生し、それに対する端末の動作が定義される必要がある。一例として、かかる場合、端末は保守的なプロセシング時間マージン(ｍａｒｇｉｎ)の確保のために、２つのうち、より長いプロセシング時間を自分のＤＬ割り当て−ｔｏ−ＤＬデータ及び／又はＤＬデータ−ｔｏ−ＤＬ ＨＡＲＱ及び／又はＵＬ承認−ｔｏ−ＵＬデータなどのプロセシング時間として適用することができる。
【０１３３】
又は、上記のようなクロス−キャリアのスケジューリング関連設定がスケジュールされるセルのプロセシング時間関連設定により異なるように解釈されることもできる。一例として、特定のスケジュールされるセルについてクロス−キャリアのスケジューリングが設定されても、該当セルをスケジューリングするセルとのプロセシング時間設定が異なるた場合(例えば、スケジュールされるセルのプロセシング時間はｎ＋３、スケジューリングセルのプロセシング時間はｎ＋４)、該当スケジュールされるセルに対してクロス−キャリアのスケジューリングが適用されず、セルフ−キャリアのスケジューリングのみが適用されることができる。従って、端末は該当スケジュールされるセルに対するＤＬ割り当て／ＵＬ承認ＤＣＩを該当スケジュールされるセルに構成される探索空間でモニタするように規定できる。
【０１３４】
又は、特定セルについて短いプロセシング時間が設定される場合、別のクロス−キャリアのスケジューリング関連設定が共に設定されることもできる。特徴的には、特定セルのクロス−キャリアのスケジューリングが元来可能であっても短いプロセシング時間の設定と共に不可能になることができる。又は、特定セルのクロス−キャリアのスケジューリング関連設定により指示されたスケジューリングセル及び／又はＰＤＳＣＨ開始シンボルと短いプロセシング時間設定により共に設定されたスケジューリングセル及び／又はＰＤＳＣＨ開始シンボルが異なるように指示されることができる。
【０１３５】
もしサービングセルＸで送信されるデータチャネルについて、サービングセルＹによりクロス−キャリアのスケジューリングが設定され、サービングセルＸについてｓＴＴＩが設定される場合、端末はサービングセルＸで送信されるサブフレーム期間(ｄｕｒａｔｉｏｎ)を有するデータチャネルについてはサービングセルＹのＰＤＣＣＨ／ＥＰＤＣＣＨをモニタし、スロット／サブスロット期間を有するデータチャネルについてはサービングセルＸのＰＤＣＣＨ／ｓＰＤＣＣＨをモニタすることになる。
【０１３６】
このように、１つのセルで送信される異なる期間を有するデータチャネルについて複数のサービングセルで制御チャネルをモニタすることは、端末のプロセシング時間に影響を与えるので好ましくない。従って、上記のように設定された端末の動作を以下のように提案する。
【０１３７】
オプション１:端末のプロセシング時間に対する影響を減らすために、データチャネルの期間とは関係なくセルフ−キャリアのスケジューリングのみが支援されるように規定できる。即ち、端末はサービングセルＸで送信されるデータチャネルに対して、それをスケジューリングする制御チャネルはサービングセルＸでのみモニタする。これは、クロス−キャリアのスケジューリング設定を端末が無視することとも解釈できる。特徴的には、サービングセルＸで送信されるデータチャネルに対して、ＥＰＤＣＣＨは除いてＰＤＣＣＨ及び／又はＳＰＤＣＣＨのみに対して端末がサービングセルＸでモニタリングを行うことができる。
【０１３８】
オプション２: １つのセルで送信される異なる期間を有するデータチャネルに対して複数のサービングセルで制御チャネルをモニタすることについて、端末が支援できるか否かに関して端末能力を報告するように規定できる。即ち、サブフレーム−ＰＤＳＣＨ／ＰＵＳＣＨをスケジューリングするＰＤＣＣＨ／ＥＰＤＣＣＨをセルＹ、またスロット／サブスロット−ＰＤＳＣＨ／ＰＵＳＣＨをスケジューリングするＰＤＣＣＨ／ｓＰＤＣＣＨをセルＸで同時にモニタする動作を支援するか否かに関する端末能力を報告することができる。端末がこの動作を支援できると報告した場合、サブフレーム−ＰＤＳＣＨ／ＰＵＳＣＨはクロス−キャリアのスケジューリングにより、またスロット／サブスロット−ＰＤＳＣＨ／ＰＵＳＣＨはセルフ−キャリアのスケジューリングによりスケジューリングされ、端末がこれに対応するセルで各々の制御チャネルをモニタするように規定できる。もしこの動作を支援できないと報告した場合には、オプション１のように異なる期間を有するデータチャネルに対して全てセルフ−キャリアのスケジューリングにより動作し、それに合わせて端末が制御チャネルを該当セルでモニタするように規定することができる。
【０１３９】
このモニタリング動作は、異なる期間を有するデータチャネルに対する複数の制御チャネルに対して実際にモニタリングが行われる時間区間が重畳しなくても、異なる期間を有するデータチャネルに対する複数の制御チャネルをモニタする動作自体に適用されることである。
【０１４０】
オプション３:１つのセルで送信される異なる期間(ここで、期間はＴＴＩ長さを含む)を有するデータチャネルに対して、端末はある１つの期間を有するデータチャネルに対してクロス−キャリアのスケジューリングが設定されるとは期待しない。即ち、端末は特定セルに設定された(又は支援された)全ての期間／ＴＴＩ長さ／ニューマロロジー／ＢＬＥＲターゲットのデータチャネルに対して、セルフ−キャリアのスケジューリングのみが設定されるように規定できる。ここで、特定セルは、異なる期間／ＴＴＩ長さ／ニューマロロジー／ＢＬＥＲターゲットが設定された又は約束されたセルを含む。この設定は、異なる期間を有する複数のデータチャネルに対する同時受信能力とは関係なく適用される。
【０１４１】
オプション４：さらに他の方案として、１つのセルで送信される異なる期間(ここで、期間はＴＴＩ長さを含む)を有するデータチャネルに対して、端末は特定セルの特定期間のデータチャネル(例えば、サブフレーム−ＰＤＳＣＨ)に対してセルフ−キャリアのスケジューリングが設定されるか、又はＥＰＤＣＣＨが設定されないセルからスケジュールされるクロス−キャリアのスケジューリングが設定されるように規定できる。即ち、端末は、特定セルの特定期間のデータチャネル(例えば、サブフレーム−ＰＤＳＣＨ)に対して該当セルで制御チャネルをモニタするように、或いは他のセルでクロス−キャリアのスケジューリングする場合には、ＥＰＤＣＣＨではない他の制御チャネル(例えば、ＰＤＣＣＨ)のみをモニタするように規定できる。ここで、特定セルは異なる期間／ＴＴＩ長さ／ニューマロロジー／ＢＬＥＲターゲットが設定された又は約束されたセルを含む。この設定は、異なる期間／ＴＴＩ長さ／ニューマロロジー／ＢＬＥＲターゲットを有する複数のデータチャネルに対する同時受信能力とは関係なく適用できる。
【０１４２】
このモニタリング動作は、異なる期間／ＴＴＩ長さ／ニューマロロジー／ＢＬＥＲターゲットを有するデータチャネルに対する複数の制御チャネルに対して実際にモニタリングが行われる時間区間が重畳しなくても、異なる期間を有するデータチャネルに対する複数の制御チャネルをモニタする動作自体に適用されることである。
【０１４３】
送信ダイバーシティへの動的フォールバック(Ｄｙｎａｍｉｃ ｆａｌｌｂａｃｋ ｔｏ ｔｒａｎｓｍｉｔ ｄｉｖｅｒｓｉｔｙ)
【０１４４】
ｓＴＴＩ動作の場合、端末がＲＲＣ−連結モードにおいてネットワークに報告された端末の能力によって遅延の減少を目的として設定される動作である。(Ｓ)ＰＤＣＣＨに対する端末のブラインド復号が増加し過ぎることを防止するために、ｓＴＴＩ動作ではフォールバック(ｆａｌｌｂａｃｋ)送信方式のためのＤＣＩフォーマットを特に定義していない。もし基地局がチャネル状況の変化などにより送信ダイバーシティ(ｔｒａｎｓｍｉｔ ｄｉｖｅｒｓｉｔｙ)のような送信方式へのフォールバックを行う場合、ＴＭ(ｔｒａｎｓｍｉｓｓｉｏｎ ｍｏｄｅ)−従属ＤＣＩにより定義されて設定されたＴＭによって端末がモニタするＤＣＩフォーマット内の特定フィールドを利用(再使用)して端末に指示するように規定できる。これにより端末は設定されたＴＭによる送信方式から送信ダイバーシティ送信方式に動的にフォールバックする動作を行って、ＤＬデータチャネルに対するより高い受信率を期待できる。もしｓＴＴＩ動作において動的フォールバックが支援されないと、基地局は送信ダイバーシティのような送信方式へのフォールバックを行う場合、常にレガシー／デフォルトＴＴＩ(例えば、１ｍｓ ＴＴＩ)を用いてスケジューリングする必要があり、これはより高いＤＬ遅延を招く。
【０１４５】
端末はｓＴＴＩ動作について、特定の送信方式(例えば、送信ダイバーシティ)への動的フォールバックを支援できるか否かに関する端末能力シグナリングをネットワークに報告するように規定される。特徴的には、端末能力シグナリングはＴＴＩ長さ(又は複数のＴＴＩ長さで構成されたＴＴＩグループ)ごとに特に独立して定義できるが、これはＴＴＩ長さごとに端末が送信ダイバーシティ送信方式への動的フォールバック動作を支援できるか否かが異なるためである。また特定の送信方式(例えば、送信ダイバーシティ)への動的フォールバックを動作させる基地局又はネットワークの設定が、ＴＴＩ長さ(又は複数のＴＴＩ長さで構成されたＴＴＩ長さグループ)ごとに別に独立して上位階層信号により行われることができる。
【０１４６】
及び／又は、端末能力シグナリングは支援可能なアンテナポート数に関する情報を含む。一例として、２ポート送信ダイバーシティのみを支援すると報告するか、又は２ポートと４ポートの送信ダイバーシティを全て支援すると報告することができる。また特定の送信方式(例えば、送信ダイバーシティ)への動的フォールバックを動作させる基地局又はネットワークの設定が、アンテナポート数に関する情報を含めて上位階層信号により行われることができる。
【０１４７】
端末がｓＴＴＩ動作に対して設定された送信モード(又は複数のＴＭで構成されたＴＭグループ)ごとに端末能力シグナリングが特に独立して定義されることができる。これは端末に設定されたＴＭごとに動的フォールバックの支援有無が異なり、基地局は端末能力シグナリングに基づいて動的フォールバックをｓＴＴＩにするか否かを決定することができる。また動的フォールバックのためのＤＣＩフィールドの解釈も、端末能力シグナリング(及び／又は動的フォールバックを可能に／不可能にする基地局又はネットワークの設定)によって異なる。又はｓＴＴＩ動作に対して設定されたＴＭに関係なく共通の端末能力シグナリングを定義できるが、これは端末がｓＴＴＩ動作を支援すると、送信ダイバーシティ送信方式へのフォールバック動作を常に支援することと解釈でき、基地局も設定されたＴＭに関係なく常に送信ダイバーシティ送信が可能であり、不要な遅延を防ぐことができる。また特定の送信方式(例えば、送信ダイバーシティ)への動的フォールバックを動作させる基地局又はネットワークの設定が、ｓＴＴＩのために設定されたＴＭに関係なく或いはｓＴＴＩのために設定されたＴＭ(グループ)ごとに独立して上位階層信号により行われることができる。
【０１４８】
上述した提案方式に関する一例も本発明の具現方法の１つとして含まれることができ、一種の提案方式として見なされることができる。上記提案方式は独立して具現するか、又は一部提案方式の組み合わせ(又は併合)の形態で具現することができる。上記提案方法の適用有無に関する情報(又は提案方法の規則に関する情報)は、基地局が端末に予め定義されたシグナル(例えば、物理階層シグナル或いは上位階層シグナル)により知らせるように規定できる。
【０１４９】
図９は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサー１１，２１をそれぞれ備える。
【０１５０】
メモリ１２，２２は、プロセッサー１１，２１の処理及び制御のためのプログラムを格納することができ、入／出力される情報を仮記憶することができる。メモリ１２，２２がバッファーとして活用されてもよい。プロセッサー１１，２１は、一般に、送信装置又は受信装置内の各種モジュールの動作全般を制御する。特に、プロセッサー１１，２１は、本発明を実行するための各種制御機能を果たすことができる。プロセッサー１１，２１をコントローラ(ｃｏｎｔｒｏｌｌｅｒ)、マイクロコントローラ(ｍｉｃｒｏｃｏｎｔｒｏｌｌｅｒ)、マイクロプロセッサー(ｍｉｃｒｏｐｒｏｃｅｓｓｏｒ)、マイクロコンピュータ(ｍｉｃｒｏｃｏｍｐｕｔｅｒ)などと呼ぶこともできる。プロセッサー１１，２１は、ハードウェア(ｈａｒｄｗａｒｅ)又はファームウェア(ｆｉｒｍｗａｒｅ)、ソフトウェア、又はこれらの結合によって具現されてもよい。ハードウェアを用いて本発明を具現する場合は、本発明を実行するように構成されたＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)などがプロセッサー１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサー１１，２１内に設けられたりメモリ１２，２２に格納されてプロセッサー１１，２１によって駆動されてもよい。
【０１５１】
送信装置１０におけるプロセッサー１１は、プロセッサー１１又はプロセッサー１１に接続しているスケジューラからスケジューリングされて外部に送信される信号及び／又はデータに対して所定の符号化(ｃｏｄｉｎｇ)及び変調(ｍｏｄｕｌａｔｉｏｎ)を行った後、送信機／受信機１３に送信する。例えば、プロセッサー１１は、送信しようとするデータ列を逆多重化、チャンネル符号化、スクランブリング、及び変調の過程などを経てＫ個のレイヤに変換する。符号化されたデータ列はコードワードとも呼ばれ、ＭＡＣ層が提供するデータブロックである伝送ブロックと等価である。一伝送ブロック(ｔｒａｎｓｐｏｒｔ ｂｌｏｃｋ，ＴＢ)は一コードワードに符号化され、各コードワードは一つ以上のレイヤの形態で受信装置に送信される。周波数上り変換のために送信機／受信機１３はオシレータ(ｏｓｃｉｌｌａｔｏｒ)を含むことができる。送信機／受信機１３はＮｔ個(Ｎｔは１以上の正の整数)の送信アンテナを含むことができる。
【０１５２】
受信装置２０の信号処理過程は、送信装置１０の信号処理過程の逆となる。プロセッサー２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して(ｆｒｅｑｕｅｎｃｙ ｄｏｗｎ−ｃｏｎｖｅｒｔ)基底帯域信号に復元する。送信機／受信機２３は、周波数下り変換のためにオシレータを含むことができる。プロセッサー２１は、受信アンテナから受信した無線信号に対する復号(ｄｅｃｏｄｉｎｇ)及び復調(ｄｅｍｏｄｕｌａｔｉｏｎ)を行い、送信装置１０が本来送信しようとしたデータに復元することができる。
【０１５３】
送信機／受信機１３，２３は一つ以上のアンテナを具備する。アンテナは、プロセッサー１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素の組み合わせによって構成されてもよい。各アンテナから送信された信号は受信装置２０によってそれ以上分解されることはない。当該アンテナに対応して送信された参照信号(ｒｅｆｅｒｅｎｃｅ ｓｉｇｎａｌ，ＲＳ)は受信装置２０の観点で見たアンテナを定義し、チャンネルが一物理アンテナからの単一(ｓｉｎｇｌｅ)無線チャンネルであるか、或いは当該アンテナを含む複数の物理アンテナ要素からの合成(ｃｏｍｐｏｓｉｔｅ)チャンネルであるかに関係なく、受信装置２０にとって当該アンテナに対するチャンネル推定を可能にする。すなわち、アンテナは、該アンテナ上のシンボルを伝達するチャンネルが同一アンテナ上の他のシンボルが伝達される前記チャンネルから導出されるように定義される。複数のアンテナを用いてデータを送受信する多重入出力(Ｍｕｌｔｉ−Ｉｎｐｕｔ Ｍｕｌｔｉ−Ｏｕｔｐｕｔ、ＭＩＭＯ)機能を支援する送信機／受信機の場合は２個以上のアンテナに接続されてもよい。
【０１５４】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０１５５】
送信装置及び／又は受信装置は、上述した本発明の実施例のうちの少なくとも１つ又は２つ以上の実施例の組み合わせを実行することができる。
【０１５６】
かかる提案の組み合わせの１つとして、無線通信システムにおいて下りリンク信号を受信する端末において、端末は受信機及び送信機、及び受信機及び送信機を制御するプロセッサを含み、プロセッサは短い送信時間間隔(ｓｈｏｒｔ ｔｒａｎｓｍｉｓｓｉｏｎ ｔｉｍｅ ｉｎｔｅｒｖａｌ;ｓＴＴＩ)基盤の下りリンク動作に関連する所定の送信方式による動的変更設定を基地局から受信し、動的変更設定が受信されると、動的変更に関連するフィールドを含む下りリンク制御情報フォーマットを検出し、またフィールド値が所定の送信方式を指示すると、所定の送信方式によって下りリンクデータチャネル上で信号を受信する。
【０１５７】
動的変更設定はＴＴＩ長さごとに設定される。また動的変更設定はｓＴＴＩ基盤の下りリンク動作に関連する送信モードに関係なく設定される。
【０１５８】
所定の送信方式は送信ダイバーシティ(ｔｒａｎｓｍｉｔ ｄｉｖｅｒｓｉｔｙ)である。
【０１５９】
またプロセッサは基地局に所定の送信方式による動的変更を支援するかに関する端末能力を報告する。この時、端末能力報告はＴＴＩ長さごとに定義される。
【０１６０】
また下りリンク制御情報フォーマットは複数のＴＴＩにおける下りリンクデータチャネルをスケジューリングし、複数のＴＴＩにおける下りリンクデータチャネルのためのＨＡＲＱ(Ｈｙｂｒｉｄ Ａｕｔｏｍａｔｉｃ Ｒｅｐｅａｔ Ｒｅｑｕｅｓｔ)−ＡＣＫ(ａｃｋｎｏｗｌｅｄｇｍｅｎｔ)応答は、複数のＴＴＩにおける下りリンクデータチャネルの各々に対応するタイミングに個々に送信される。
【０１６１】
また下りリンク制御情報フォーマットは複数のＴＴＩにおける下りリンクデータチャネルをスケジューリングし、複数のＴＴＩにおける下りリンクデータチャネルのためのＨＡＲＱ(Ｈｙｂｒｉｄ Ａｕｔｏｍａｔｉｃ Ｒｅｐｅａｔ Ｒｅｑｕｅｓｔ)−ＡＣＫ(ａｃｋｎｏｗｌｅｄｇｍｅｎｔ)応答は、バンドリング又は集成されて送信される。
【０１６２】
またＨＡＲＱ−ＡＣＫ応答は下りリンク制御情報フォーマットの最低ＣＣＥ(Ｃｏｎｔｒｏｌ Ｃｈａｎｎｅｌ Ｅｌｅｍｅｎｔ)インデックスにより決定されたリソース又はＡＲＩ(ＡＣＫ／ＮＡＣＫ ｒｅｓｏｕｒｃｅ ｉｎｄｉｃａｔｏｒ)フィールドの状態に連結されたリソースから所定のオフセットだけ離れたリソースで送信される。
【０１６３】
また下りリンク制御情報フォーマットをモニタするためのリソースブロック集合、及び下りリンク制御情報フォーマットをモニタするためのリソースブロック集合で使用される集成レベル及び／又はモニタリング候補数が設定される。
【０１６４】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０１６５】
本発明は端末、リレー、基地局などのような無線通信装置に利用可能である。
【図１】
0006916304.tif 000007
【図２】
0006916304.tif 000008
【図３】
0006916304.tif 000009
【図４】
0006916304.tif 000010
【図５】
0006916304.tif 000011
【図６】
0006916304.tif 000012
【図７】
0006916304.tif 000013
【図８】
0006916304.tif 000014
【図９】
0006916304.tif 000015